(57)【要約】【課題】簡素な燃料噴射器アセンブリを提供すること。【解決手段】　燃料噴射器アセンブリ１０は、複数の燃料噴射器穴１６と、複数の各々が同燃料噴射器穴の対応するものと交差している燃料給送穴３０と、同燃料給送穴の全てを燃料噴射器１８と連通させる共通の戻り通路３６とを有するハウジング１２を含んでいる。燃料噴射器が、前記燃料噴射器穴の各々に取り付けられている。各燃料噴射器は、戻り燃料を燃料噴射器の外側へと流通させる戻り燃料ポートを有している。燃料給送部材が燃料給送穴の各々に取り付けられている。各燃料給送部材は、加圧燃料を前記燃料噴射器の対応するものへと流通させる燃料給送通路を有している。各燃料給送部材の外面と各燃料給送穴の壁とが、対応する戻り燃料ポートと連通し且つ前記共通の戻り通路と連通している戻りチャンバ５４を形成している。【選択図】　図１
2004116519.tif 000002
【特許請求の範囲】
【請求項１】
燃料噴射器アセンブリであって、
　貫通している複数の噴射器穴と、各々が前記噴射器穴の対応するものと交差している複数の燃料給送穴と、前記燃料給送穴の全てを燃料リザーバと連通させている共通の戻り通路とを有するハウジングと、
　複数の燃料噴射器であって、各々が前記噴射器穴の対応するものに取り付けられており且つ前記噴射器の外部に戻り燃料を流通させる戻り燃料ポートを有する複数の燃料噴射器と、
　複数の燃料給送部材であって、各々が前記燃料給送穴の対応するものに取り付けられており且つ加圧燃料を前記噴射器の対応するもの、各燃料給送部材の外面、及び対応する戻り燃料ポートと連通し且つ前記共通の戻り通路と連通している戻りチャンバを形成している各燃料給送穴の壁へと流通させる複数の燃料給送部材と、を含む燃料噴射器アセンブリ。
【請求項２】
請求項１に記載の燃料噴射器アセンブリであって、
　各燃料給送部材が、直径がより大きい部分及び直径がより少ない部分を有する中空の円筒形部材を含んでおり、同直径がより大きい部分は前記燃料給送穴の壁と摺動係合し、同直径がより小さい部分と前記燃料給送穴の壁とは、それらの間に環状チャンバを形成している、燃料噴射器アセンブリ。
【請求項３】
請求項１に記載の燃料噴射器アセンブリであって、
　前記直径がより小さい部分の端部が燃料噴射器の側部と係合している、燃料噴射器アセンブリ。
【請求項４】
請求項１に記載の燃料噴射器アセンブリであって、
　前記ハウジングの外面上の単一の燃料戻りラインであって、前記共通の戻り通路を前記リザーバと流通させている、単一の燃料戻りラインを更に含んでいる、燃料噴射器アセンブリ。
【請求項５】
燃料噴射器アセンブリであって、
　貫通して延びている第一の穴と、同第一の穴と交差している第二の穴と、同第二の穴をリザーバに流通させている燃料戻り通路と、を有するハウジングと、
　前記第一の穴内に取り付けられ且つ貫通して延びている噴射器燃料通路を有している燃料噴射器と、
　前記第二の穴内に取り付けられ且つ前記燃料噴射器の軸線に対して平行でない軸線を有する燃料給送部材であって、加圧燃料を、前記燃料噴射器内の前記噴射器燃料通路、前記燃料給送部材の外面及び前記第二の穴の壁へと流通させて、前記第一の穴から燃料戻り通路へと燃料を流通させる戻り通路を形成している燃料給送通路を有している燃料給送部材と、を含んでいる燃料噴射器アセンブリ。
【請求項６】
請求項５に記載の燃料噴射器アセンブリであって、
　前記燃料給送部材が、直径がより大きい部分と直径がより小さい部分とを有する中空の円筒形部材を含んでおり、同直径がより大きい部分は前記第二の穴の壁と摺動係合し、前記第二の穴の前記直径がより小さい部分と壁とが、それらの間に環状チャンバを形成しているおり、
　前記ハウジングが、前記環状チャンバを前記燃料戻り通路と連通させているポートを形成している、燃料噴射器アセンブリ。
【請求項７】
請求項６に記載の燃料噴射器アセンブリであって、
　前記直径がより小さい部分の端部が前記燃料噴射器と係合している、燃料噴射器アセンブリ。
【請求項８】
請求項５に記載の燃料噴射器アセンブリであって、
　前記ハウジングの外側にあり且つ前記燃料戻し通路を前記リザーバと連通させている単一の燃料戻りラインを更に含んでいる、燃料噴射器アセンブリ。
【発明の詳細な説明】
【技術分野】
【０００１】
　本発明は、エンジンのための燃料噴射器アセンブリに関する。
【背景技術】
【０００２】
　ディーゼルエンジンのためのソレノイドによって作動せしめられる燃料噴射器が米国特許第５，８３９，６６１号（特許文献１）に記載されている。このような噴射器は、ソレノイドによって作動せしめられる弁部材とニードル弁とを含んでいる。ソレノイドによって作動せしめられる弁部材は、燃料入口と燃料出口との間の流体連通を選択的に確立する。ニードル弁は、燃料が噴射される噴射穴を選択的に開いたり閉じたりするように動く。このような噴射器はまた、燃料戻り通路及び燃料リザーバと連通している燃料出口をも含んでいる。いくつかの電流発生エンジンは、エンジンハウジング内に形成されるべき多くの別個の燃料戻り通路と、多くの別個の外部燃料戻りラインとを、別個の燃料噴射器の各々に対して１個必要とする。従って、このような多くの別個の燃料戻り通路と別個の外部戻りラインとの必要性を排除することによって、エンジンの複雑さを低減することは望ましい。
【特許文献１】米国特許第５，８３９，６６１号
【発明の開示】
【発明が解決しようとする課題】
【０００３】
　従って、本発明の目的は、簡素な燃料噴射器アセンブリを提供することである。
【課題を解決するための手段】
【０００４】
　これらの及びその他の目的は、本発明によって達成される。本発明においては、エンジン燃料噴射器アセンブリが、各々に燃料噴射器が取り付けられている複数の燃料噴射器を有しているハウジングを含んでいる。ハウジングはまた、各々に燃料給送部材が取り付けられている複数の燃料給送穴をも有している。燃料給送部材の各々は、対応する燃料噴射器の側部と係合し且つ同燃料噴射器に加圧燃料を流通させる。各燃料給送部材の外面と各燃料給送部材の壁とは、各噴射器の燃料戻り通路と連通している。共通の戻り通路が、燃料給送穴の全てと連通しており、これらの燃料給送穴は、単一の外部燃料戻りラインが取り付けられても良い単一の外部燃料戻しポートを備えている。
【発明を実施するための最良の形態】
【０００５】
　図１及び２を参照すると、燃料噴射器アセンブリ１０は、ヘッドカバー１４が取り付けられているエンジンハウジング１２を含んでいる。ハウジングには、複数の燃料噴射器穴１６を含んでおり、そのうちの一つが図１に図示されている。燃料噴射器穴１６の各々は、エンジンのシリンダ（図示せず）内へ加圧燃料を噴射するために一般的な燃料噴射器１８を受け入れる。燃料噴射器１８は、供給通路１９、制御ピストン（図示せず）を受け入れる中央の軸線方向穴２０及び戻り通路２３を含んでいる。凹部２１が燃料噴射器の一つの側面に形成されている。径方向に延びている燃料戻し通路２４は、燃料噴射器１８の外側面によって戻り通路２３と連通しており且つ燃料噴射器１８と燃料噴射器穴１６の壁２８との間に形成されている環状のチャンバ２６に連通している。このような燃料噴射器は、米国特許第５，８３９，６６１号に記載されており且つ燃料噴射事象を制御し且つ戻り燃料の戻り通路２３への連通を制御するソレノイドによって作動せしめられる弁（図示せず）を含んでいる。
【０００６】
　複数の燃料給送穴３０は、ハウジング１２を貫通して延びており、一対の燃料給送穴３０が図２において見ることができる。各穴３０は、対応する燃料噴射器穴１６の軸線にほぼ直角である軸線を有しており、各穴３０の内側端部は、対応する燃料噴射器穴１６内へと開口しているか又は同対応する燃料噴射器穴１６と交差している。各穴３０は、外側の直径がより大きいねじが切られた部分３２と、直径がより小さい内側部分３４とを含んでいる。図２に最も良く見ることができるように、ハウジング１２はまた、穴３０の全てと連通しており且つ単一の出口通路３７と連通している単一の共通の燃料戻し又は戻り通路３６及び燃料リザーバ３９と連通している単一の外側戻りライン３８をも含んでいる。
【０００７】
　燃料給送部材４０が各穴３０内に取り付けられている。各燃料給送部材４０は、直径がより大きな部分４２を含んでおり、この直径がより大きな部分４２は、穴３０の対応するねじが切られた部分３２と螺合するようにねじが切られた外ねじを有している。燃料給送部材４０はまた、穴部分３４と摺動係合する直径がより小さい部分４４をも含んでいる。環状のシール部材４８を受け入れるための環状の溝４６が部分４４内に形成されている。燃料給送部材４０は、貫通している中央の軸線方向穴５０を含んでいる。穴５０の外側端部は、加圧燃料供給源（図示せず）から加圧燃料を受け取る。燃料給送部材４０の内側端部又は先端５２は、凹部２１の壁によって受け入れられるか又は同壁と係合して、穴５０が通路２２及び１９と連通するようになされている。燃料給送部材４０の外側面と穴３０の壁とは、通路３６及び環状チャンバ２６と連通している軸線方向に延びている環状チャンバ５４を形成している。従って、余分な燃料の燃料戻し経路が、通路２４、チャンバ２６、チャンバ５４、通路３６及び３７並びにライン３８によって提供される。
【産業上の利用可能性】
【０００８】
　以上、特定の実施形態と関連付けて本発明を説明したけれども、上記の説明を参考にすれば、多くの代替例、変形例及び変更例が当業者に明らかとなるであろう。従って、本発明は、特許請求の範囲の精神及び範囲に含まれるこのような代替例、変形例及び変更例の全てを包含することを意図している。
【図面の簡単な説明】
【０００９】
【図１】図１は、本発明による燃料噴射器アセンブリの簡素化された断面図である。
【図２】図２は、図１の線２−２に沿った断面図である。
【符号の説明】
【００１０】
１０　燃料噴射器アセンブリ、　　１２　エンジンハウジング、
１４　ヘッドカバー、　　１６　燃料噴射器穴、　　１８　燃料噴射器、
１９　供給通路、　　２０　中央の軸線方向穴、　　２１　凹部、
２３　戻り通路、　　２４　燃料戻し通路、
２６　環状のチャンバ、　　３０　燃料給送穴、
３２　直径が大きな部分、　　３４　直径が小さい部分、
３６　戻り通路、　　３７　出口通路、
３８　外側戻りライン、　　３９　燃料リザーバ、
４０　燃料給送部材、　　４２　直径がより大きな部分、
４４　直径がより小さい部分、　　４６　環状の溝、
４８　シール部材、　　　　５０　中央の軸線方向穴
５４　チャンバ
【図１】
2004116519.tif 000003
【図２】
2004116519.tif 000004